(57)【要約】【課題】開口を確実に閉じることができる信頼性の高い内圧調整装置を提供する。【解決手段】内圧調整装置１の本体１１に，内視鏡の内部と外部とを連通させる開口１２を設け，本体１１の内部に，本体１１に対して回転可能な回転体１３と，開口１２を本体１１の内部側から開閉させる弁体１５を設けた。回転体１３の回転と弁体１５の移動は連動させた構成とした。そして，回転体１３を一方の回転方向に回転させ，弁体１５を開口に移動させることにより開口１２を閉じ，回転体１３を他方の回転方向に回転させ，弁体１５を本体１１の内部側に移動させることにより，開口１２を開く構成とした。【選択図】  図２
2006087633.tif 000002
【特許請求の範囲】
【請求項１】
内視鏡の内部と外部を連通させて内圧を調整する内圧調整装置であって，
内視鏡の内部と外部とを連通させる開口を設けた本体と，
前記本体に対して回転可能な回転体と，
前記本体の内部において移動することにより前記開口を本体の内部側から開閉させる弁体とを備え，
前記回転体の回転と前記弁体の移動を連動させ，
前記回転体を一方の回転方向に回転させ，前記弁体を前記開口に移動させて本体の内部側から密着させることにより，前記開口を閉じ，
前記回転体を他方の回転方向に回転させ，前記弁体を本体の内部側に移動させることにより，前記開口を開く構成としたことを特徴とする，内視鏡の内圧調整装置。
【請求項２】
前記回転体に，アダプタに設けた係合ピンを係合させる係合穴を設け，
前記アダプタと前記回転体を係合させ，前記アダプタを回転させることにより，前記回転体を回転させる構成とし，
前記本体に，前記開口を開いたとき前記係合ピンを前記係合穴から外れないように保持する係合ピン保持部を設けたことを特徴とする，請求項１に記載の内視鏡の内圧調整装置。
【請求項３】
前記回転体の内面に雌ネジ部を設け，
前記弁体の外面に，前記雌ネジ部と螺合する雄ネジ部を設け，
前記雄ネジ部に対して前記雌ネジ部を回転させることにより，前記雄ネジ部を移動させることを特徴とする，請求項１又は２に記載の内視鏡の内圧調整装置。
【発明の詳細な説明】
【技術分野】
【０００１】
本発明は，内視鏡のコネクタ部などに設けられる内圧調整装置に関する。
【背景技術】
【０００２】
一般に医療用の内視鏡には内圧調整装置が設けられており，例えば内視鏡のＥＯＧ滅菌を行うときは，内圧調整装置を開いて内圧を開放するようにしている。また，内視鏡の気密検査では，内圧調整装置に通気ホースを接続し，内視鏡を水中に浸漬させ，通気ホースから内視鏡の内部に気体を供給して，気泡が放出されるか否かを確認することで，亀裂などを発見するようにしている。
【０００３】
従来，内圧調整装置として，回転体と弁体を備え，通気ホースなどのアダプタによって回転体を回転させると弁体が外側に向かって移動して本体の開口が開き，回転体を逆方向に回転させると弁体が内側に向かって移動し，本体の開口が閉じられるようにした構成が提案されている（例えば，特許文献１参照。）。また，弁体を内側に向かって付勢するバネを備え，アダプタによって回転体を回転させると，バネの弾性力に抗して弁体が外側に向かって移動させられ，本体の開口が開く構成としたものが提案されている（例えば，特許文献２参照。）。その他，弁体によって本体の開口を内側から塞ぐようにし，弁体を開口に向かって付勢するバネを備え，アダプタに設けられたピンによって弁体を押すことにより，バネの弾性力に抗して弁体を内側に移動させて開口を開くようにした構成が公知である（例えば，特許文献３，４参照。）。
【０００４】
【特許文献１】実公平７−４１４４１号公報
【特許文献２】特開平８−３１７８９７号公報
【特許文献３】特許３１９３４４４号公報
【特許文献４】特開平５−２３２８７号公報
【発明の開示】
【発明が解決しようとする課題】
【０００５】
しかしながら，実公平７−４１４４１号公報に記載された内圧調整装置にあっては，内圧により弁体が外側に移動して，本体の開口が自然に開いてしまうことがあった。そのような現象は，例えば，航空機内や高地での輸送時や，内圧の開放を行わずに低圧下でＥＯＧ滅菌を行った場合や，保管時に内視鏡が高温になった場合や，気密検査後に高圧になった内圧の開放を行わずに開口を閉じてしまった場合など，多くの状況下で発生しうる。また，特開平８−３１７８９７号公報，特許３１９３４４４号公報，特開平５−２３２８７号公報に記載された内圧調整装置のようにバネを設けた場合，バネが引っ掛かったりして弁体を付勢できなくなり，開口を閉塞できなくなるおそれがあった。このように本体の開口が開いてしまうと，開口から内視鏡内に液体などが侵入して，内視鏡が破損される危険がある。
【０００６】
本発明の目的は，開口を確実に閉じることができる信頼性の高い内圧調整装置を提供することにある。
【課題を解決するための手段】
【０００７】
上記課題を解決するため，本発明によれば，内視鏡の内部と外部を連通させて内圧を調整する内圧調整装置であって，内視鏡の内部と外部とを連通させる開口を設けた本体と，前記本体に対して回転可能な回転体と，前記本体の内部において移動することにより前記開口を本体の内部側から開閉させる弁体とを備え，前記回転体の回転と前記弁体の移動を連動させ，前記回転体を一方の回転方向に回転させ，前記弁体を前記開口に移動させて本体の内部側から密着させることにより，前記開口を閉じ，前記回転体を他方の回転方向に回転させ，前記弁体を本体の内部側に移動させることにより，前記開口を開く構成としたことを特徴とする，内視鏡の内圧調整装置が提供される。
【０００８】
この内圧調整装置にあっては，前記回転体に，アダプタに設けた係合ピンを係合させる係合穴を設け，前記アダプタと前記回転体を係合させ，前記アダプタを回転させることにより，前記回転体を回転させる構成とし，前記本体に，前記開口を開いたとき前記係合ピンを前記係合穴から外れないように保持する係合ピン保持部を設けても良い。また，前記回転体の内面に雌ネジ部を設け，前記弁体の外面に，前記雌ネジ部と螺合する雄ネジ部を設け，前記雄ネジ部に対して前記雌ネジ部を回転させることにより，前記雄ネジ部を移動させるようにしても良い。
【発明の効果】
【０００９】
本発明によれば，本体の開口に弁体を内部側から密着させて閉じるようにしたことにより，内圧が外圧より高くなっても弁体が開口から離れず，開口が自然に開いてしまうことを防止できる。また，バネを用いないのでバネが引っ掛かったりして開口を閉塞できなくなるおそれもない。従って，開口を確実に開閉することができ，内圧調整装置の信頼性を向上させることができる。また，開口から液体などが侵入して内視鏡が破損されることを防止できる。
【発明を実施するための最良の形態】
【００１０】
以下，本発明の好ましい実施の形態を図面を参照にして説明する。図１に示すように，内視鏡１は，体腔内に挿入される可撓性を有する細長い挿入部２と，挿入部２の基端に接続された操作部３とを備えている。挿入部２の先端部２ａには，照明光を照射するための照明窓，撮像窓，液体や色素等を噴射する供給口等が設けられている。操作部３にはコード部４が接続されており，コード部４の基端には，各種の外部装置のケーブル，チューブ類等が接続されるコネクタ部５が連結されている。コネクタ部５には，本発明にかかる内圧調整装置１０が備えられている。
【００１１】
図２は，内圧調整装置１０の断面図を示している。内圧調整装置１０は，コネクタ部５の外殻に固定された本体１１を備えている。図２において本体１１の上面には，内視鏡の内部と外部とを連通させる開口１２が設けられている。本体１１の内部には，本体１１に対して周方向に回転可能な回転体１３と，開口１２を本体１１の内部側から開閉させる弁体１５とが設けられている。回転体１３の回転と弁体１５の移動は連動しており，弁体１５は回転体１３の回転に伴って軸方向（図２において上下方向）に沿って移動するようになっている。
【００１２】
本体１１の内部には，回転体１３との間をシールするためのＯリング１７が備えられている。回転体１３は，このＯリング１７によって回転体１３との間をシールした状態を維持しながら，上下方向に向いた中心軸Ａを中心として，本体１１の内部において回転することができる。
【００１３】
弁体１５は，回転体１３の中央部に設けられた軸穴２０内において，中心軸Ａに沿って配置されている。弁体１５の上端部側は軸穴２０の上方に突出しており，弁体１５の上端部に形成された頭部２５によって開口１２を閉塞するようになっている。
【００１４】
頭部２５は，環状に形成された弾性を有するＯリング２６を備えている。Ｏリング２６は頭部２５の外周に沿って設けられている。一方，開口１２には，開口１２の下縁部（内部側の縁部）に沿って，テーパ部２７が設けられている。テーパ部２７は，下方に向かうほど外周側に広がるように形成されている。このテーパ部２７にＯリング２６を下方（内部側）から押し付けるようにして密着させることにより，本体１１の内部の雰囲気と開口１２より外側の雰囲気とを確実に遮断できるようになっている。
【００１５】
弁体１５の外周面において，軸穴２０内に配置された部分には，左ネジ状の雄ネジ部３１が形成されている。一方，軸穴２０の内周面には，雄ネジ部３１と螺合する雌ネジ部３２が形成されている。雄ネジ部３１と雌ネジ部３２は，中心軸Ａを中心とし，上下方向を進行方向として左巻きになる巻き方向に沿って形成されている。即ち，雄ネジ部３１を雌ネジ部３２に対して上方からみて左方向に相対的に回転させると，雄ネジ部３１が雌ネジ部３２に対して相対的に下方に進むような巻き方向になっている。
【００１６】
弁体１５の下端部側は軸穴２０の下方に突出しており，コネクタ部５の内部空間に向けて配置されている。また，本体１１の下端部には，弁体１５の回転を規制する規制板４１が設けられている。図３に示すように，弁体１５の下端部側において，外周面の左右両側には，それぞれ平坦面４２，４２が設けられている。平坦面４２，４２は，弁体１５の軸方向と平行に形成されている。一方，規制板４１には略長方形状のガイド穴４３が設けられており，弁体１５の下端部はこのガイド穴４３内を通るように配置され，ガイド穴４３の縁部が各平坦面４２，４２に接触した状態になっている。従って，弁体１５は周方向に回転できないようになっている。また，図２において各平坦面４２，４２をガイド穴４３に沿って上下方向に摺動させながら，弁体１５を昇降させることができる。
【００１７】
図２に示すように，弁体１５には，弁体１５の内部を貫通するように連通路４５が備えられている。連通路４５の一端は，雄ネジ部３１より上方かつＯリング２６より下方において，弁体１５の外周面に開口されている。連通路４５の他端は，弁体１５の下面に開口して，コネクタ部５の内部空間に連通している。従って，本体１１の内部とコネクタ部５の内部とは，連通路４５を介して連通した状態になっている。
【００１８】
本体１１の外壁には，後述するアダプタ６０の係合ピン６２Ａ，６２Ｂをガイドするための２つの係合ピン誘導溝５１Ａ，５１Ｂが開口されている。また，回転体１３の外周面には，後述するアダプタ６０の係合ピン６２Ａ，６２Ｂを係合させるための２個の係合穴５２Ａ，５２Ｂが設けられている。各係合穴５２Ａ，５２Ｂは，それぞれ係合ピン誘導溝５１Ａ，５１Ｂの内側に配置されている。
【００１９】
図４は，内圧調整装置１０の斜視図を示している。図４に示すように，係合ピン誘導溝５１Ａは略Ｌ字状に形成されており，図４において上下方向に形成された縦誘導部５６と，縦誘導部５６の下端から本体１１の外周方向に沿って形成された係合ピン保持部としての周方向誘導部５７とを備えている。縦誘導部５６の上端部は，本体１１の上面に開口されている。さらに，本体１１の上面において，縦誘導部５６の上端部から中心側に向かって延びるように，上面開口部５８が形成されている。周方向誘導部５７は，上方からみて縦誘導部５６から右回転方向に延びるように形成されている。なお，係合ピン誘導溝５１Ｂは係合ピン誘導溝５１Ａと同様の形状を有するので，説明を省略する。
【００２０】
図４に示すように，係合穴５２Ａは，回転体１３の外周面から中心側に向かって凹状に，また，上下方向に沿って形成されており，係合ピン誘導溝５１Ａの縦誘導部５６及び周方向誘導部５７とほぼ同じ高さに開口している。係合穴５２Ａの上端部は，回転体１３の上面周縁に開口しており，上面開口部５８に連通するようになっている。なお，係合ピン誘導溝５１Ｂは係合ピン誘導溝５１Ａと同様の形状を有するので，説明を省略する。
【００２１】
図５は，内圧調整装置１０の横断面図であり，係合ピン誘導溝５１Ａ，５１Ｂの周方向誘導部５７に沿って切断した状態を示している。図５に示すように，係合穴５２Ａを係合ピン誘導溝５１Ａの縦誘導部５６に連通させたとき，係合穴５２Ｂも，係合ピン誘導溝５１Ｂの縦誘導部５６に同時に連通するようになっている。
【００２２】
図６は，内圧調整装置１０に接続されるアダプタ６０の縦断面図を示している。アダプタ６０は筒状になっており，一端には通気ホース６１が接続され，他端は開口になっている。通気ホース６１は図示しない加圧装置に接続されている。アダプタ６０の他端部の内面には，２個の係合ピン６２Ａ，６２Ｂが突設されている。また，アダプタ６０の内周面に沿ってＯリング６３が備えられている。
【００２３】
次に，以上のように構成された内視鏡１の内圧調整装置１０の操作方法を，一例として内視鏡１の気密検査を行う場合について説明する。先ず，アダプタ６０が取り付けられていない通常状態の内圧調整装置１０は，図２に示す閉塞状態になっている。弁体１５は，頭部２５によって開口１２を閉塞する閉塞位置Ｐ１に配置されている。Ｏリング２６は開口１２のテーパ部２７に内部側から密着させられている。従って，開口１２が連通路４５と連通せず，コネクタ部５の内部と外部とが連通していない状態になっている。回転体１３の係合穴５２Ａ，５２Ｂは，各係合ピン誘導溝５１Ａ，５１Ｂの縦誘導部５６及び上面開口部５８に連通している。この閉塞状態の内圧調整装置１０に，図７に示すように通気ホース６１のアダプタ６０を上方から被せるように装着する。即ち，アダプタ６０の端部開口に内圧調整装置１０の本体１１が挿入されるようにし，アダプタ６０の係合ピン６２Ａ，６２Ｂを本体１１の各係合ピン誘導溝５１Ａ，５１Ｂの上面開口部５８にそれぞれ通過させ，縦誘導部５６及び回転体１３の係合穴５２Ａ，５２Ｂ内にそれぞれ上方から進入させる。これにより，各係合ピン６２Ａ，６２Ｂを各係合穴５２Ａ，５２Ｂに係合させ，アダプタ６０と回転体１３とを連結させることができる。また，Ｏリング６３が本体１１の外周面に密着して，アダプタ６０と本体１１の外周面との間が密閉される。
【００２４】
係合ピン６２Ａ，６２Ｂを縦誘導部５６の下端まで移動させたら，アダプタ６０を上方からみて右回転方向（即ち，雄ネジ部３１と雌ネジ部３２の巻き方向と反対方向）に，中心軸Ａを中心として回転させ，係合ピン６２Ａ，６２Ｂを各係合ピン誘導溝５１Ａ，５１Ｂの周方向誘導部５７（図５参照）内に沿って移動させる。すると，係合穴５２Ａ，５２Ｂが係合ピン６２Ａ，６２Ｂと共に移動させられ，回転体１３がアダプタ６０と一体的に，右回転方向に回転させられる。図７において，回転体１３を上方からみて右回転させると，規制板４１によって回転が防止されている弁体１５の雄ネジ部３１に対して，雌ネジ部３２が右回転する。即ち，雄ネジ部３１が雌ネジ部３２に対して相対的に左回転する。従って，雄ネジ部３１が雌ネジ部３２に対して下方に進行するように雌ネジ部３２によってガイドされるので，弁体１５が閉塞位置Ｐ１から本体１１の内部側に向かって下降移動させられる。そして，弁体１５の下降により，Ｏリング２６が開口１２のテーパ部２７から離れ，開口１２が開口させられる。
【００２５】
さらにアダプタ６０を右回転させ，係合ピン６２Ａ，６２Ｂを各係合ピン誘導溝５１Ａ，５１Ｂの周方向誘導部５７の先端部に当接するまで移動させ，係合穴５２Ａ，５２Ｂがそれぞれ各係合ピン誘導溝５１Ａ，５１Ｂの周方向誘導部５７の先端部に連通した状態にする（図５において二点鎖線）。このとき，弁体１５は，図８に示すように頭部２５が開口１２から離隔した開放位置Ｐ２に配置される。即ち，開口１２が開かれ，開口１２，本体１１の内部空間及び連通路４５を介して，コネクタ部５の外部と内部とが連通し，内圧調整装置１０が開放状態になる。なお，係合ピン６２Ａ，６２Ｂは，各係合ピン誘導溝５１Ａ，５１Ｂの周方向誘導部５７内に配置され，上方に移動しないように保持される。従って，係合ピン６２Ａ，６２Ｂが係合穴５２Ａ，５２Ｂから外れないように固定されるので，アダプタ６０が内圧調整装置１０から外れることを防止できる。
【００２６】
こうしてアダプタ６０を介して通気ホース６１を内圧調整装置１０に接続したら，内視鏡１を水中に浸漬させ，図示しない加圧装置を駆動させて通気ホース６１内に気体を供給して加圧する。通気ホース６１から供給された気体は，アダプタ６０内，開口１２，本体１１内及び連通路４５を通過して，コネクタ部５の内部に供給される。コネクタ部５，コード部４，操作部３，挿入部２（図１参照）の各内部空間は互いに連通しているので，通気ホース６１から気体が供給されることにより内視鏡１の内部全体が加圧される。そして，内視鏡１の表面に亀裂などがある場合は，そこから水中に気泡が放出される。従って，気泡の発生の有無により，亀裂などを発見することができる。
【００２７】
このようにして気密検査を行ったら，内視鏡１を水中から取り出し，アダプタ６０を内圧調整装置１０から取り外す。即ち，図８に示すように開放状態になっている内圧調整装置１０において，アダプタ６０を内圧調整装置１０に取り付けたときの回転方向と逆方向に，上方からみて左回転方向（即ち，雄ネジ部３１と雌ネジ部３２の巻き方向と同じ方向）に回転させ，アダプタ６０の係合ピン６２Ａ，６２Ｂを本体１１の各係合ピン誘導溝５１Ａ，５１Ｂの周方向誘導部５７（図５参照）に沿って移動させる。係合穴５２Ａ，５２Ｂは係合ピン６２Ａ，６２Ｂと共に移動させられ，回転体１３がアダプタ６０と一体的に左回転させられる。こうして回転体１３を左回転させると，規制板４１によって回転が防止されている弁体１５の雄ネジ部３１に対して雌ネジ部３２が左回転する。即ち，雄ネジ部３１が雌ネジ部３２に対して相対的に右回転する。従って，雄ネジ部３１が雌ネジ部３２に対して上方に進行するように雌ネジ部３２によってガイドされるので，弁体１５が開放位置Ｐ２から上昇移動する。そして，図７に示すように，係合ピン６２Ａ，６２Ｂを各係合ピン誘導溝５１Ａ，５１Ｂの縦誘導部５６まで移動させると，弁体１５が閉塞位置Ｐ１に戻る。即ち，頭部２５を開口１２に移動させ，Ｏリング２６を本体１１の内部側からテーパ部２７に密着させることにより，開口１２が閉じられる。こうして，内圧調整装置１０を閉塞状態に戻すことができる。係合ピン６２Ａ，６２Ｂを縦誘導部５６まで移動させたら，アダプタ６０を内圧調整装置１０から上昇させ，係合ピン６２Ａ，６２Ｂを係合穴５２Ａ，５２Ｂ，縦誘導部５６，上面開口部５８から抜き取る。こうして，アダプタ６０を取り付けたときのみ，弁体１５を昇降させて開口１２を内部側から開閉することができ，内圧調整装置１０を閉塞状態にしてから，アダプタ６０を取り外すことができる。
【００２８】
なお，閉塞位置Ｐ２において，弁体１５は，開口１２の下縁部に沿って設けられたテーパ部２７にＯリング２６の上部を当接させた状態になるので，弁体１５が開口１２より外側に移動することはない。従って，内視鏡１の内圧が外圧より高くなるような状況下で，弁体１５が内部側から加圧されても，テーパ部２７によってＯリング２６が確実に押さえられるので，開口１２が開いてしまうことは無い。また，閉塞状態では，互いに螺合した雄ネジ部３１と雌ネジ部３２によって弁体１５が確実に支持されているので，仮に弁体１５が開口１２の外側から押されたり，内視鏡１の内圧が外圧より低くなったりしても，弁体１５が内部側に下降することを防止できる。このように，アダプタ６０によって回転体１３の回転操作を行うとき以外に弁体１５が開口１２から外れて開口してしまうことを防止でき，開口１２を確実に閉塞することができる。従って，内圧調整装置１０の信頼性を向上させることができる。
【００２９】
かかる内圧調整装置１によれば，弁体１５を本体１１の内部側から移動させて開口１２を塞ぐようにし，Ｏリング２６をテーパ部２７に密着させた状態で閉塞する構成としたことにより，内視鏡１の内圧が外圧より高くなっても，Ｏリング２６が開口１２に押し付けられて離れないので，開口１２が自然に開いてしまうことを防止できる。また，バネなどの付勢部材を用いず，回転体１３の回転操作により弁体１５を強制的に開閉する構成としたので，バネが引っ掛かったりして開口１２を閉塞できなくなるおそれもない。従って，回転体１３の回転操作により開口１２を確実に開閉することができ，信頼性を高くすることができる。また，自然に開いてしまった開口１２から液体や異物などが侵入して内視鏡１が破損されることを防止できる。
【００３０】
以上，本発明の好適な実施の形態の一例を示したが，本発明はここで説明した形態に限定されない。当業者であれば，特許請求の範囲に記載された技術的思想の範疇内において各種の変更例または修正例に想到し得ることは明らかであり，それらについても当然に本発明の技術的範囲に属するものと了解される。
【００３１】
本実施の形態では，内圧調整装置１０はコネクタ部５の外殻に設けられたものとしたが，かかる場所に設けられたものに限定されない。例えば，図１においてコネクタ部５には，先端部２ａに設けたＣＣＤなどの撮像素子の駆動電源や撮像素子の出力信号を伝送したりするための信号用ポート７０が設けられているが，この信号用ポート７０に取り付けられる防水キャップには，防水キャップに亀裂や隙間が存在しないか検査する際に通気ホースを接続して防水キャップ内に気体を供給するための内圧調整装置が設けられているものがある。このような信号用ポート用防水キャップの内圧調整装置にも，本発明を好適に適用することができる。
【００３２】
本実施の形態では，雄ネジ部３１及び雌ネジ部３２を左ネジ状とし，回転体１３を右回転させることにより弁体１５が内部側に向かって下降し，回転体１３を左回転させることにより弁体１５が開口１２に向かって上昇する構成としたが，勿論，雄ネジ部３１及び雌ネジ部３２を右ネジ状（軸方向を進行方向として右巻きになる巻き方向）としても良い。この場合，回転体１３を上方からみて左回転方向に（即ち，雄ネジ部３１と雌ネジ部３２の巻き方向と反対方向に）回転させることにより，弁体１５を内部側に向かって下降させ，回転体１３を右回転方向に（即ち，雄ネジ部３１と雌ネジ部３２の巻き方向と同じ方向に）回転させることにより，弁体１５を開口１２に向かって上昇させることができる。また，この場合，各係合ピン誘導溝５１Ａ，５１Ｂにおける周方向誘導部５７は，上方からみて縦誘導部５６から左回転方向に延びるように形成すれば良い。かかる構成により，アダプタ６０を取り付けるときはアダプタ６０及び回転体１３を左回転させることにより弁体１２を下降させて開口１２を開き，アダプタ６０を取り外すときはアダプタ６０及び回転体１３を右回転させることにより弁体１２を上昇させ開口１２を閉じることができる。
【００３３】
本実施の形態では，軸穴２０の内周面に雌ネジ部３２を設け，弁体１５の外周面に雄ネジ部３１を設け，雌ネジ部３２と雄ネジ部３１の螺合により，回転体１３と弁体１５を連動させた構成としたが，回転体１３と弁体１５を連動させる構成は，かかるものに限定されない。例えば，軸穴２０の内周面に，軸方向を進行方向として左巻きになる巻き方向に沿ってガイド溝を形成し，弁体１５の外周面に，ガイド溝内で移動可能なピンを突設させるようにしても良い。この場合も，回転体１３を右回転させると，弁体１５のピンが回転体１３のガイド溝にガイドされて下方に移動されるので，弁体１５を下降させることができる。一方，回転体１３を左回転させると，弁体１５のピンが回転体１３のガイド溝にガイドされて上方に移動されるので，弁体１５を上昇させることができる。
【００３４】
本実施の形態では，加圧装置に接続された通気ホース６１のアダプタ６０によって回転体１３を回転させ，アダプタ６０を内圧調整装置１０に取り付けることとしたが，アダプタはかかるものに限定されない。例えば，一端を開口させて大気に開放させたアダプタや，多孔質部材を備えたアダプタなどであっても良い。
【産業上の利用可能性】
【００３５】
本発明は，内視鏡のコネクタ部などに設けられる内圧調整装置に適用できる。
【図面の簡単な説明】
【００３６】
【図１】内視鏡の構成を説明する説明図である。
【図２】内圧調整装置の縦断面図である。
【図３】内圧調整装置の底面図である。
【図４】内圧調整装置の斜視図である。
【図５】図２におけるＢ−Ｂ線による内圧調整装置の横断面図である。
【図６】アダプタの縦断面図である。
【図７】閉塞状態の内圧調整装置の縦断面図である。
【図８】開放状態の内圧調整装置の縦断面図である。
【符号の説明】
【００３７】
１      内視鏡
５      コネクタ部
１０    内圧調整装置
１１    本体
１２    開口
１３    回転体
１５    弁体
２０    軸穴
３１    雄ネジ部
３２    雌ネジ部
４１    規制板
４５    連通路
６０    アダプタ
５２Ａ，５２Ｂ  係合穴
５１Ａ，５１Ｂ  係合ピン誘導溝
６２Ａ，６２Ｂ  係合ピン
【図１】
2006087633.tif 000003
【図２】
2006087633.tif 000004
【図３】
2006087633.tif 000005
【図４】
2006087633.tif 000006
【図５】
2006087633.tif 000007
【図６】
2006087633.tif 000008
【図７】
2006087633.tif 000009
【図８】
2006087633.tif 000010